(57)【要約】本発明は、第１チューブ（７０）から第２チューブ（８０）に又はその逆に気体又は液体の材料を移送するチューブのシステムに関する。前記システムは、前記第１チューブ（７０）と接触させるための第１接続素子（４０）を備える第１接続部（２０）及び前記第２チューブ（８０）と接触させるための第２接続素子（６０）を備える第２接続部（３０）を有する。前記第１接続素子（４０）の外径は、前記第２接続素子（６０）の外径より小さい。前記第１チューブ（７０）の内径は、前記第１接続素子（４０）の外径よりわずかに小さく、前記第２チューブ（８０）の内径は、前記第２接続素子（６０）の外径よりわずかに小さい。更に、好ましくは、前記第１接続部（２０）の外径は、当該制限素子（５０）の内径が、前記第２チューブ（８０）の外径より小さいが、前記第１チューブ（７０）の外径より大きい制限素子（５０）を持つ。
2004520143.tif 000002
【特許請求の範囲】
【請求項１】
第１チューブによって接触されんとする第１接続素子を備える第１接続部及び第２チューブによって接触されんとする第２接続素子を備える第２接続部を含むチューブ接続システムであって、前記第１接続素子の外径が、前記第２接続素子の外径より小さく、前記第１チューブの内径が、前記第１接続素子の外径よりわずかに小さく、前記第２チューブの内径が、前記第２接続素子の外径よりわずかに小さいことを特徴とするチューブ接続システム。
【請求項２】
前記第１接続部が外径リミッタも含み、前記外径リミッタの内径は、前記第２チューブの外径より小さいが、前記第１チューブの外径より大きいことを特徴とする請求項１に記載のチューブ接続システム。
【請求項３】
前記第１接続素子及び前記第２接続素子が、該素子の内側が、中空であり、気体又は液体の物質を伝搬する又は受け取るのに適するような管状であるように構成されることを特徴とする請求項１又は２に記載のチューブ接続システム。
【請求項４】
第１チューブから第２チューブに又はその逆に気体又は液体の物質を伝搬するチューブシステムであり、前記第１チューブによって接触されんとする第１接続素子を備える第１接続部及び前記第２チューブによって接触されんとする第２接続素子を備える第２接続部を含むチューブシステムであって、前記第１接続素子の外径が、前記第２接続素子の外径より小さく、前記第１チューブの内径が、前記第１接続素子の外径よりわずかに小さく、前記第２チューブの内径が、前記第２接続素子の外径よりわずかに小さいことを特徴とするチューブシステム。
【請求項５】
前記第１接続部が外径リミッタも含み、前記外径リミッタの内径は、前記第２チューブの外径より小さいが、前記第１チューブの外径より大きいことを特徴とする請求項４に記載のチューブシステム。
【請求項６】
第１外径を持つ第１チューブによって接触されんとする第１接続素子を備える第１接続部及び第２外径を持つ第２チューブによって接触されんとする第２接続素子を備える第２接続部を含み、前記第２外径が前記第１外径より大きいチューブ接続システムであって、前記第１接続部が外径リミッタも含み、前記外径リミッタの内径は、前記第２外径より小さいが、前記第１外径より大きいことを特徴とするチューブ接続システム。
【請求項７】
第１外径を持つ第１チューブから第２外径を持つ第２チューブに又はその逆に気体又は液体の物質を伝搬するチューブシステムであり、前記第１チューブによって接触されんとする第１接続素子を備える第１接続部及び前記第２チューブによって接触されんとする第２接続素子を備える第２接続部を含み、前記第２外径が前記第１外径より大きいチューブシステムであって、前記第１接続部が外径リミッタも含み、前記外径リミッタの内径は、前記第２外径より小さいが、前記第１外径より大きいことを特徴とするチューブシステム。
【発明の詳細な説明】
【０００１】
【発明の属する技術分野】
本発明は、第１チューブによって接触（ｃｏｎｔａｃｔ）されんとする第１接続部と、第２チューブによって接触されんとする第２接続部とを含むチューブ接続システムに関する。
【０００２】
【従来の技術】
多くのアプリケーションの場合、とりわけ医療分野においては、チューブが、接続部に押し込まれる、又は別の方法で（例えば螺装する（ｓｃｒｅｗ）ことにより）該接続部に取り付けられる必要がある。次いで、液体又は気体が、このようなチューブを介して、例えば装置へ又は装置から移送される。
【０００３】
医療分野における典型的な例は、ガス（例えば、麻酔ガス又は呼吸ガス）が、まず、ガスセンサシステムを具備する装置に移送され、次いで、該装置から放出されなければならないガスセンサによって形成される。
【０００４】
気体又は液体の流れ方向が重要である場合には、気体又は液体が、確かに、装置の入口において流れ方向に供給され、気体又は液体が、ほとんど、装置の出口において再び放出されることが確実にされなければならない。
【０００５】
しかしながら、医療用ガスセンサなどにおける様々なアプリケーションにおいて入口方向と出口方向との取り違え（ｍｉｘｉｎｇ ｕｐ）は、必ずしも誤りとして認識されないであろう。しかし、装置が測定を行なう場合には、測定値は不正確になるであろう。
【０００６】
【発明が解決しようとする課題】
本発明の目的は、気体又は液体の流れ方向が重要であるアプリケーションのために、入口方向と出口方向との取り違え、即ち、一般的に言えば、接続素子に接続する２つのチューブの取り違えが防止されることを確実にすることにある。
【０００７】
【課題を解決するための手段】
この目的は、独立請求項の特徴部に従って達成される。有利な実施例は、従属請求項において開示されている。
【０００８】
本発明によれば、接続部又はチューブが取り違えられ得ないことを確実にするために、該チューブには異なる内径が設けられ、関連づけられた該接続部には対応する外径が設けられる。適当にこれらの直径を調和させることにより、前記チューブが前記接続部と適当に合致する場合にのみ過大な力を加えることなしに接触が可能であるということが達成され得る。正しい流れ方向での装置に対するチューブの接続は、このようにして、前記チューブの直径のコード付け（ｃｏｄｉｎｇ）及び前記関連づけられた接続部の対応する形状構成の利用によって確実にされ得る。
【０００９】
本発明によるコード付けは、接続を確実にするための付加的な素子を必要とせず、取り付けるための付加的な作業も必要とされない。接続位置は、取り付ける前にはっきりと認識可能である。チューブの内径は、無作為に選択されることができ、例えば、もし流れの技術的な観点（ｆｌｏｗ−ｔｅｃｈｎｉｃａｌ ｐｏｉｎｔ ｏｆ ｖｉｅｗ）から必要であれば、等しい大きさであるようにも選ばれ得る。
【００１０】
概して、非常に経済的な解決策が、このようにして、単純且つ明らかな形状寸法と組み合わせて得られる。
【００１１】
しかしながら、効果的に、チューブの正しい接続を確実にするだけでなく、正しくない接続が力ずくで実現され得ないことも確実にするために、本発明の好ましい実施例は、接触されるべき前記チューブの一方に対する外径リミッタも具備する。このようにして、正しい接続が促されるだけでなく、正しくない接続が、排除される、又は少なくとも可能な限り防止される。このようにして、前記チューブの取り違えの実質的に完全な防止が達成され得る。
【００１２】
好ましくは、より大きな外径を持つチューブは、この接続部上に設けられた外側リングよって、より小さな外径を持つ接続部に押し込まれること、又は別な方法で取り付けられることを防止される。この目的のため、前記外側リングの内径は、より太いチューブの外径より小さいように選ばれる。
【００１３】
好ましくは、外径を制限するために、既存の構造素子の使用もなされる。なぜなら、このような使用は更に経済的な解決策をもたらすからである。
【００１４】
以下に、添付図面を参照して本発明を詳細に記載する。前記添付図面において、対応する参照符号は機能的に同一又は同様の特徴に関する。
【００１５】
【発明の実施の形態】
図１Ａは、装置１０上に設けられた２つのチューブ接続部２０及び３０を示している。第１接続部２０は、ニップル４０及び外径リミッタ５０を含む。しかしながら、第２接続部３０は、ニップル６０しか含まず、外径リミッタを含まない。
【００１６】
２つのニップル４０及び６０は、内側が、中空であり、気体又は液体の物質を伝搬する又は受け取るのに適するような管状であるように構成される。ニップル４０の外径は、ニップル６０の外径より実質的に小さいよう選ばれる。ニップル４０及び６０の内径（即ち、チューブの直径）は、随意に選ばれることができ、同じでもあり得る。
【００１７】
図１Ｂは、図１Ａの２つのチューブ接続部２０及び３０を備える装置１０を示しているが、図１Ｂにおいては、第１チューブ７０が第１接続部２０に押し込まれており、第２チューブ８０が第２接続部３０に押し込まれている。図１Ｂにおいては、２つのチューブ７０及び８０が、２つのチューブ接続部２０及び３０をおおう。
【００１８】
第１チューブ７０の内径は、接続部２０の第１ニップル４０の外径よりわずかに小さいように選ばれ、故に、第１チューブ７０は第１ニップル４０にぴったりと嵌められる。同様に、第２チューブ８０の内径は、第２ニップル６０の外径よりわずかに小さいように選ばれ、故に、第２チューブ８０もまた第２ニップル６０にぴったりと嵌められる。しかしながら、チューブ７０及び８０の内径は、もし流れの技術的な観点から必要であれば、同じであっても良い。
【００１９】
ぴったりと嵌める（ｆｏｒｍ−ｆｉｔ）の代わりに、例えば、螺装、バイオネット接続などによって取り付けるあらゆる他の方法も用いられ得ることは、本明細書において詳細に記載される必要はない。
【００２０】
第２チューブ８０がより小さな第１ニップル４０に押し込まれ得ないことを確実にするために、第２チューブ８０の外径は、外径リミッタ５０の内径より（ほんのわずかにではなく）大きいような外径であるように選ばれる。しかしながら、第１チューブ７０の外径は、外径リミッタ５０の内径より小さいように選ばれ、故に、第１チューブは外径リミッタ５０内に容易に嵌まる。
【図面の簡単な説明】
【図１Ａ】本発明によるチューブのコード付けを示す。
【図１Ｂ】本発明によるチューブのコード付けを示す。
【国際公開パンフレット】
2004520143.tif 000003
2004520143.tif 000004
2004520143.tif 000005
2004520143.tif 000006
2004520143.tif 000007
2004520143.tif 000008
2004520143.tif 000009
2004520143.tif 000010
2004520143.tif 000011
2004520143.tif 000012
2004520143.tif 000013
【国際調査報告】
2004520143.tif 000014
2004520143.tif 000015
2004520143.tif 000016
2004520143.tif 000017